(57)【要約】【課題】１段階目の移動操作にて対象とするページを指定し、２段階目の移動操作にて作業を指示することで上述した問題を解決することを目的とする操作制御装置を提供すること。【解決手段】複数の画像に基づいて、プレビュー画像を表示し、表示されたプレビュー画像のうち、一のプレビュー画像に対する入力を検出し、当該一のプレビュー画像における移動操作を検出することで、対象とするプレビュー画像を選択画像として選択し、選択画像に対して実行する処理の候補を表示し、選択画像を、前記処理候補表示部により表示された方向に移動させることにより、前記選択画像に対応する画像に対して処理を実行する。【選択図】図７
2014170349.tif 000002
【特許請求の範囲】
【請求項１】
複数の画像に基づいて、プレビュー画像を表示する表示部と、
前記表示部に表示されたプレビュー画像のうち、一のプレビュー画像に対する入力を検出する入力検出部と、
前記一のプレビュー画像における移動操作を検出することで、対象とするプレビュー画像を選択画像として選択する画像選択部と、
前記選択画像に対して実行する処理の候補を表示する処理候補表示部と、
前記選択画像を、前記処理候補表示部により表示された方向に移動させることにより、前記選択画像に対応する画像に対して処理を実行する処理実行部と、
を備えることを特徴とする操作制御装置。
【請求項２】
前記画像選択部は、第１の方向の移動操作により、前記一のプレビュー画像が選択され、第２の方向の移動操作により、総てのプレビュー画像が選択されることを特徴とする請求項１に記載の操作制御装置。
【請求項３】
前記処理候補表示部により表示される処理の候補は、複数のプレビュー画像における位置の指定を含む第１の処理群と、位置の指定を含まない第２の処理群とに分けて表示されることを特徴とする請求項１又は２に記載の操作制御装置。
【請求項４】
前記画像選択部において、第２の方向の移動操作が検出された場合には、プレビュー画像の表示形態を変化させて表示することを特徴とする請求項２に記載の操作制御装置。
【請求項５】
コンピュータに、
複数の画像に基づいて、プレビュー画像を表示する表示機能と、
前記表示機能に表示されたプレビュー画像のうち、一のプレビュー画像に対する入力を検出する入力検出機能と、
前記一のプレビュー画像における移動操作を検出することで、対象とするプレビュー画像を選択画像として選択する画像選択機能と、
前記選択画像に対して実行する処理の候補を表示する処理候補表示機能と、
前記選択画像を、前記処理候補表示機能により表示された方向に移動させることにより、前記選択画像に対応する画像に対して処理を実行する処理実行機能と、
を実現させるためのプログラム。
【発明の詳細な説明】
【技術分野】
【０００１】
本発明は、操作制御装置等に関する。
【背景技術】
【０００２】
近年、利用者が直感的に操作できるように、タッチパネルを利用した様々な操作方法が提案されている。例えば、一つの対象を選択するタッチ（タップ）操作、ダブルタッチ（ダブルタップ）操作や、表示画面を拡大・縮小するときに利用されるピンチ操作（ピンチイン、ピンチアウト）、複数の箇所を選択するマルチタッチ操作等が知られている。
【０００３】
また、タッチパネル上を軽く払うように指等を動かし、画面内のページや項目を移動させるスワイプ操作等が知られている。スワイプ操作は、種々のものを選択するだけではなく、例えば操作指示等にも用いられている。
【０００４】
この中で、例えば特許文献１に示すように、タッチパネルディスプレイを制御するＣＰＵは、表示パネルに対し、移動可能に表示される複数ページのプレビュー画像を含む画像編集モード画面を表示させる。そして、タッチパネルに対するユーザの操作に基づいて、複数のプレビュー画像のうちのいずれかが選択された状態（第１押圧）であることを検出すると、選択された状態のプレビュー画像を除いた複数のプレビュー画像に対する移動指示（第２押圧及びフリック操作）がなされたか否かを、タッチパネルに対するユーザの操作に基づいて判定し、移動指示がなされたと判定した場合には、選択された状態のプレビュー画像を除いた複数のプレビュー画像をスクロールさせる技術が知られている。
【先行技術文献】
【特許文献】
【０００５】
【特許文献１】特開２０１２−４８５２５号公報
【発明の概要】
【発明が解決しようとする課題】
【０００６】
しかしながら、従来に提案されている内容では、表示されている範囲への移動は容易に行うことが出来るが、先頭、末尾等の離れた場所への簡単な操作による移動、また移動以外の制御に関する操作は指示することが出来なかった。
【０００７】
すなわち、選択されたものに対する操作を行う場合に別の選択画面を表示したり、先頭や末尾に移動させる場合には、再度移動位置を表示させるといった作業を行ったりする必要があり、簡単な操作が実現されていなかった。
【０００８】
例えば、デジタル複合機等の画像形成装置の操作等に利用される場合、利用する人は必ずしも操作に慣れているものではない。この場合、直感的な操作が利用者のユーザビリティの向上につながるが、従来の方式では必ずしも実現出来ていなかった。
【０００９】
上述した課題に鑑み、本発明は、１段階目の移動操作にて対象とするページを指定し、２段階目の移動操作にて作業を指示することで上述した問題を解決することを目的とする操作制御装置を提供することである。
【課題を解決するための手段】
【００１０】
上述した課題を解決するために、本発明の操作制御装置は、
複数の画像に基づいて、プレビュー画像を表示する表示部と、
前記表示部に表示されたプレビュー画像のうち、一のプレビュー画像に対する入力を検出する入力検出部と、
前記一のプレビュー画像における移動操作を検出することで、対象とするプレビュー画像を選択画像として選択する画像選択部と、
前記選択画像に対して実行する処理の候補を表示する処理候補表示部と、
前記選択画像を、前記処理候補表示部により表示された方向に移動させることにより、前記選択画像に対応する画像に対して処理を実行する処理実行部と、
を備えることを特徴とする。
【００１１】
本発明のプログラムは、
コンピュータに、
複数の画像に基づいて、プレビュー画像を表示する表示機能と、
前記表示機能に表示されたプレビュー画像のうち、一のプレビュー画像に対する入力を検出する入力検出機能と、
前記一のプレビュー画像における移動操作を検出することで、対象とするプレビュー画像を選択画像として選択する画像選択機能と、
前記選択画像に対して実行する処理の候補を表示する処理候補表示機能と、
前記選択画像を、前記処理候補表示機能により表示された方向に移動させることにより、前記選択画像に対応する画像に対して処理を実行する処理実行機能と、
を実現させることを特徴とする。
【発明の効果】
【００１２】
本発明によれば、複数の画像に基づいて、プレビュー画像を表示し、表示されたプレビュー画像のうち、一のプレビュー画像に対する入力を検出し、当該一のプレビュー画像における移動操作を検出することで、対象とするプレビュー画像を選択画像として選択し、選択画像に対して実行する処理の候補を表示し、選択画像を、前記処理候補表示部により表示された方向に移動させることにより、前記選択画像に対応する画像に対して処理を実行することができる。
【００１３】
すなわち、表示されたプレビュー画像に対してまず入力（例えば、タップ操作）を行い、その後移動操作（例えば、フリップ操作）を行う。これにより、タップ操作により選択された画像が選択画像として選択される。また、当該選択画像を処理候補が表示された方向に移動操作（例えば、フリップ操作）をすることで、処理を選択することができる。
【００１４】
これにより、利用者は画像の選択、処理の選択を連続的に、かつ、直感的に行うことが可能となり、使い勝手の良い操作方法を提供することができる。
【図面の簡単な説明】
【００１５】
【図１】本実施形態におけるデジタル複合機の外観を説明するための図である。
【図２】本実施形態におけるデジタル複合機の機能構成図である。
【図３】本実施形態における処理を説明するための動作フローである。
【図４】本実施形態における処理を説明するための動作フローである。
【図５】本実施形態における動作例を説明するための図である。
【図６】本実施形態における動作例を説明するための図である。
【図７】本実施形態における動作例を説明するための図である。
【図８】本実施形態における動作例を説明するための図である。
【図９】本実施形態における動作例を説明するための図である。
【図１０】本実施形態における動作例を説明するための図である。
【図１１】本実施形態における動作例を説明するための図である。
【図１２】本実施形態における動作例を説明するための図である。
【図１３】本実施形態における動作例を説明するための図である。
【図１４】本実施形態における動作例を説明するための図である。
【図１５】本実施形態における動作例を説明するための図である。
【発明を実施するための形態】
【００１６】
以下、本発明の操作制御装置を適用した場合における実施形態を説明する。本実施形態においては、操作制御装置を、画像形成装置であるデジタル複合機に適用した場合について説明する。
【００１７】
［１．全体構成］
まず、デジタル複合機１０の全体構成について説明する。図１はデジタル複合機１０の外観斜視図であり、図２はデジタル複合機１０の機能構成図である。
【００１８】
図２に示すように、デジタル複合機１０は、制御部１００に、画像入力部１１０と、画像形成部１２０と、画像処理部１３０と、画像出力部１４０と、通信部１５０と、記憶部１６０と、入力部１７０と、入力検出部１７５と、表示部１８０とが接続されている。
【００１９】
制御部１００は、デジタル複合機１０の全体を制御するための機能部である。制御部１００は、記憶部１６０に記憶されている各種プログラムを読み出して実行することにより各種機能を実現しており、例えばＣＰＵ（Central Process Unit）等により構成されている。
【００２０】
画像入力部１１０は、原稿の画像を読み取って画像データを生成するものであり、例えばＣＣＤ（Charge Coupled Device）等の光学情報を電気信号に変換するデバイスを備えたスキャナ装置等により構成されている。なお、画像入力部１１０は、スキャナ装置等の他にもデジタルカメラ等で撮像された画像を外部から取り込むようにしてもよいし、ＵＳＢメモリや、コンパクトフラッシュ（登録商標）等の記憶媒体、通信部１５０を介して他の端末から原稿データを入力（受信）しても良い。画像データは記憶部１６０の画像データ格納領域１６２に記憶される。
【００２１】
画像形成部１２０は、画像データを記録媒体（例えば記録用紙）に形成するための機能部である。例えば、図１の給紙トレイ１３２から記録用紙を給紙し、画像形成部１２０に記録用紙の表面に画像が形成された後に排紙トレイ１３４から排紙される。画像形成部１２０は、例えば電子写真方式を利用したレーザプリンタ等により構成されている。
【００２２】
画像処理部１３０は、画像データに各種画像処理を施す機能部である。例えば、画像データの鮮鋭化処理をしたり、色変換処理を行ったりする。また、本実施形態においては、プレビュー画像を生成する。生成されたプレビュー画像は、記憶部１６０のプレビュー格納領域１６４に記憶される。
【００２３】
画像出力部１４０は、画像データ（電子データ）を出力する機能部である。例えば、画像データをＪＰＥＧ（Joint Photographic Experts Group）や、ＰＤＦ（Portable Document Format）といった電子データに変換し、出力する。画像出力部１４０として、例えばデジタル複合機１０に装着されたＵＳＢメモリ等の外部記憶装置に出力してもよいし、通信部１５０を介して他の端末等に画像データを出力してもよい。
【００２４】
通信部１５０は、デジタル複合機１０と外部の端末とが通信を行う為のインタフェースを提供する機能部である。例えば、Ｅｔｈｅｒｎｅｔ（登録商標）に接続可能なＮＩＣ（Network Interface Card）等により構成されている。
【００２５】
記憶部１６０は、デジタル複合機１０の動作に必要な各種プログラムや、各種データが記憶されている機能部である。記憶部１６０は、例えば、半導体メモリや、ＨＤＤ（Hard Disk Drive）等により構成されている。
【００２６】
また、記憶部１６０には、画像データを記憶する為の画像データ格納領域１６２と、プレビュー画像を記憶する為のプレビュー格納領域１６４の領域が確保されている。
【００２７】
入力部１７０は、利用者が動作を指示したり、設定を指示したりするための機能部であり、各種キースイッチや、接触による入力を検出する装置等により構成されている。また、表示部１８０は、利用者に各種情報を報知するための機能部であり、例えばＬＣＤ等により構成されている。
【００２８】
ここで、本実施形態においては、入力部１７０と、表示部１８０とが一体に形成されているタッチパネルを備えている。タッチパネルの入力に利用者から入力されると、入力検出部１７５がタッチパネルに対する入力を検出する。ここで、入力検出部１７５が入力を検出する方法としては、一般的な検出方法が用いられており、例えば抵抗膜方式、赤外線方式、電磁誘導方式、静電容量方式といった何れの方法であっても良い。
【００２９】
また、入力検出部１７５は、利用者がタッチ（タップ）したことを検出したり、移動（フリック入力）したことを検出したりと、種々の入力方法を検出出来ることとする。
【００３０】
［２．処理の流れ］
続いて、本実施形態における処理の流れについて、図３及び図４を用いて説明する。まず、プレビュー画像を表示部１８０に表示する（ステップＳ１００）。
【００３１】
続いて、プレビュー画像が表示された状態で、タッチパネルに押圧（タッチ操作）がなされた否かを検出する（ステップＳ１０２）。ここで、タッチパネルに押圧（タッチ操作）がなされた場合には（ステップＳ１０２；Ｙｅｓ）、第１フリックガイドを表示部１８０に表示する（ステップＳ１０４）。
【００３２】
続いてフリック操作がなされるまで待機する（ステップＳ１０６；Ｎｏ→ステップＳ１０８；Ｎｏ→ステップＳ１０６）。もし、ここで押圧状態が解除された場合、ステップＳ１０２から処理を繰り返し実行する（ステップＳ１０６；Ｎｏ→ステップＳ１０８；Ｙｅｓ）→ステップＳ１０２）。
【００３３】
フリック操作がなされると（ステップＳ１０６；Ｙｅｓ）、フリック方向を検出する（ステップＳ１１０）。例えば、フリック方向が上方向の場合（ステップＳ１１０；上方向
）、選択ページをフリック位置に表示する（ステップＳ１１２）。そして、選択されたページ用の第２フリックガイドを表示する（ステップＳ１１４）。ここで、再度フリック操作か、押圧が解除されることを検出するまで待機する（ステップＳ１１６；Ｎｏ→ステップＳ１２８；Ｎｏ→ステップＳ１１６）。
【００３４】
再度フリック操作がなされた後に押圧が解除された場合（ステップＳ１１６；Ｙｅｓ）、再度されたフリック方向のガイド機能を実行し（ステップＳ１１８）、ステップＳ１０２から処理を繰り返し実行する。
【００３５】
他方、フリック無しで押圧が解除された場合（ステップＳ１１６；Ｎｏ→ステップＳ１２８；Ｙｅｓ）、表示を移動前の位置に戻し（ステップＳ１３０）、ステップＳ１０２から処理を繰り返し実行する。
【００３６】
ステップＳ１１０において、フリック方向が左右方向に検出された場合には（ステップＳ１１０；左右方向）、選択ページをフリック位置に表示する（ステップＳ１２０）。この表示は押圧が解除されるまで繰り返しおこなわれる（ステップＳ１２４；Ｎｏ→ステップＳ１１０）。そして、押圧が解除されると選択ページをフリック位置に移動し（ステップＳ１２４；Ｙｅｓ→ステップＳ１２６）、ステップＳ１０２から処理を繰り返し実行する。
【００３７】
ステップＳ１１０において、フリック方向が下方向に検出された場合には（ステップＳ１１０；下方向）、全ページの選択画像を表示する（図４のステップＳ１４０）。そして、画像をフリック位置に表示し（ステップＳ１４２）、ファイル用の第２フリックガイドを表示する（ステップＳ１４４）。第２フリックガイドが表示された後は、図３のステップＳ１１６から処理が実行される。
【００３８】
［３．動作例］
続いて、本実施形態における動作例について、画面例を用いて説明する。まず、図５は、プレビュー画像として、Ａ、Ｂ、Ｃ、Ｄの４つが表示されている状態である。ここで、利用者は、Ｂのプレビュー画像（原稿）の領域をタッチ（押圧）したとする。
【００３９】
ここで、タッチ操作が利用者Ｐにより行われると、フリックガイドＧ５０が表示される。そして、フリック操作が検出されると、第１のフリック操作の検出に応じた処理が実行される。
【００４０】
図６は、上方向（Ｙ１００）にフリック操作があった場合の例について説明している。Ｂの画像Ｒ１０２において、上方向にフリック操作が行われると、実行する処理の候補が第２フリックガイドとして周囲に表示される。ここで、処理の候補としては、削除処理を行うＭ１００、保存処理を行うＭ１０２、印刷処理を行うＭ１０４、先頭へ移動処理を行うＭ１０６、コピー挿入処理を行うＭ１０８、末尾へ移動処理を行うＭ１１０、ＦＡＸ処理を行うＭ１１２が、タッチ位置にある候補となる画像Ｒ１０２の周囲に表示されることになる。ここで、第１のフリック後の位置から、今度は第２の移動処理（フリック操作）を行った場合についてそれぞれ説明する。
【００４１】
すなわち、第１のフリック操作を完了した位置（以下、第１フリック位置）から、各表示されている処理の方向へ第２のフリック操作を行ったときに、フリック操作に応じて処理が実行される。
【００４２】
（１）先頭へ移動処理（図７）
方向Ｙ１０２、すなわち先頭へ移動する表示がされているＭ１０６にフリック操作がされた場合（図７（ａ））、プレビュー画像Ｂは、候補となるプレビュー画像（以下、プレビュー画像群という）の先頭に移動する（図７（ｂ））。
【００４３】
（２）コピー挿入処理（図８）
方向Ｙ１０４、すなわちコピー挿入処理を行う表示がされているＭ１０８にフリック操作がされた場合（図７（ｂ））、プレビュー画像Ｂは、複写されて挿入されることになる（図８（ｂ））。
【００４４】
（３）末尾へ移動処理（図９）
方向Ｙ１０６、すなわち末尾へ移動する表示がされているＭ１１０にフリック操作がされた場合（図９（ａ））、プレビュー画像Ｂは、プレビュー画像群の末尾に移動する（図９（ｂ））。
【００４５】
（４）削除処理（図１０）
方向Ｙ１０８、すなわち削除処理が表示されているＭ１００にフリック操作がされた場合（図１０（ａ））、プレビュー画像Ｂは、プレビュー画像群から削除されることとなる（図１０（ｂ））。
【００４６】
（５）保存処理（図１１）
方向Ｙ１１０、すなわち保存処理が表示されているＭ１０２にフリック操作がされた場合（図１１（ａ））、プレビュー画像Ｂは別に保存される処理が実行される。例えば、保存先が指定される画面に切り替わり、利用者により保存先が指定される。そして、指定された保存先に画像Ｂが保存される（図１１（ｂ））。
【００４７】
（６）印刷処理（図１２）
方向Ｙ１１２、すなわち印刷処理が表示されているＭ１０４にフリック操作がされた場合（図１２（ａ））、プレビュー画像Ｂは印刷される処理が実行される（図１２（ｂ））。
【００４８】
（７）ＦＡＸ処理（図１３）
方向Ｙ１１４、すなわちＦＡＸ処理が表示されているＭ１１２にフリック操作がされた場合（図１３（ａ））、プレビュー画像ＢはＦＡＸで送信される処理が実行される（図１３（ｂ））。
【００４９】
（６）複数処理（図１４）
なお、第１フリック操作が上方向の場合を説明したが、第１フリック操作が下方向の場合について説明するのが図１４である。第１フリック操作が下方向の場合、プレビュー画像群全体が選択される。
【００５０】
この場合、例えば方向Ｙ２００、すなわち削除処理が表示されているＭ１００にフリック操作がされた場合（図１５（ａ））、総ての画像が削除される（図１５（ｂ））。
【００５１】
［４．効果］
このように、本実施形態によれば、タッチパネル方式の画像編集を行うシステムにおいて、操作対象選択後のページ操作指示と目標指示の２段階のフリック操作を持ち、操作指示ウインドウや作業エリア表示ウインドウの表示により、操作対象とする画像表示内容を損なうことなく、ページ編集操作指示、また、ページ出力操作表示を行うことを可能とする。
【００５２】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００５３】
なお、上述した実施形態は操作制御装置をデジタル複合機に適用した場合について説明したが、それ以外の装置に適用することとしても良い。例えば、同じようにタッチパネル制御を行うタブレット端末、コンピュータ、ゲーム機器、携帯電話等、様々な機器に応用可能である。
【００５４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００５５】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００５６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００５７】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００５８】
１０      ：デジタル複合機
１００    ：制御部
１１０    ：画像入力部
１２０    ：画像形成部
１３０    ：画像処理部
１３２    ：給紙トレイ
１３４    ：排紙トレイ
１４０    ：画像出力部
１５０    ：通信部
１６０    ：記憶部
１６２    ：画像データ格納領域
１６４    ：プレビュー格納領域
１７０    ：入力部
１７５    ：入力検出部
１８０    ：表示部
【図１】
2014170349.tif 000003
【図２】
2014170349.tif 000004
【図３】
2014170349.tif 000005
【図４】
2014170349.tif 000006
【図５】
2014170349.tif 000007
【図６】
2014170349.tif 000008
【図７】
2014170349.tif 000009
【図８】
2014170349.tif 000010
【図９】
2014170349.tif 000011
【図１０】
2014170349.tif 000012
【図１１】
2014170349.tif 000013
【図１２】
2014170349.tif 000014
【図１３】
2014170349.tif 000015
【図１４】
2014170349.tif 000016
【図１５】
2014170349.tif 000017